(57)【要約】【課題】引出扉と容器とを固定する金属部品が、引出扉を引き出したときに現れることにより、使用者に不安を抱かせるとともに、清潔性においても不信感を持たせることとなり、製品の品位を損なう恐れがある。【解決手段】容器２０６の前方に設けられた樹脂製の前方突起部２０６ｅと、引出扉２０１の内側板２１１に設けられた内面凹部３０２とにより、容器２０６を引出扉２０１に連結することで、金属部品を引出扉２０１や容器２０６に突出して設ける必要がなくなり、使い勝手の良さ、使用上の安全性、見た目の品位が向上する。【選択図】図９
2013204828.tif 000002
【特許請求の範囲】
【請求項１】
内箱と外箱と前記内箱と前記外箱との間に充填した断熱材とよりなる断熱箱体と、前記断熱箱体の内方に形成され前面に開口部を備えた貯蔵室と、前記貯蔵室の内部に設けられ上面が開口する容器と、前記開口部を開閉自在に閉塞する引出扉と、前記引出扉とともに前記容器を前後に移動可能とする移動レールと、前記移動レールと前記引出扉を固定する扉支持部材とを備え、
前記容器の前方に設けられた樹脂製の突起部と、前記引出扉の前記容器と対向する面に設けられた凹部とを備え、前記突起部と前記凹部とで、前記容器を前記引出扉に連結することを特徴とする冷蔵庫。
【請求項２】
前記容器は、上下方向中央部より下方にひれ部を備え、
前記ひれ部で、前記移動レールと前記扉支持部材の固定部を覆うことを特徴とする請求項１に記載の冷蔵庫。
【発明の詳細な説明】
【技術分野】
【０００１】
本発明は、冷蔵庫に関し、特に引き出し式の貯蔵室を形成する引き出し構造およびそれに用いる容器に関するものである。
【背景技術】
【０００２】
従来、冷蔵庫は、奥まで無駄なく貯蔵できる、使い勝手がよい等の観点から、冷蔵庫の下段に引き出し式の貯蔵室を備えることが多い。このような引き出し式の貯蔵室は、貯蔵室を出し入れする際の円滑性、貯蔵室への食品の出し入れの容易性、および、貯蔵室を形成する容器の着脱の容易性などが求められている。
【０００３】
そこで、引き出し式の貯蔵室の使い勝手を向上させる技術も開示されている（例えば、特許文献１参照）。
【０００４】
図１０は、従来の冷蔵庫１００の側断面を示す図である。
【０００５】
図１０に示す従来の冷蔵庫１００は、断熱箱体１０１内に、冷蔵室１０２、温度変更が可能な切換室１０６、切換室１０６に併設された製氷室（図示せず）、野菜室１０３、および冷凍室１０４を貯蔵室として備えている。
【０００６】
断熱箱体１０１は、外箱１１２と内箱１１０と、外箱１１２および内箱１１０の間に充填された断熱材１１１と、で形成されている。
【０００７】
野菜室１０３、冷凍室１０４の構成要素である容器２０６は、引出扉２０１に接続された２つのレール装置２０２に支持されている。
【０００８】
これにより、野菜室１０３、冷凍室１０４は、断熱箱体１０１に対して出し入れ可能な引き出し式の貯蔵室となっている。
【０００９】
ここで、従来の冷蔵庫において前面開口を閉塞するための引出扉２０１について説明する。図１１は、従来の引出扉を奥側から示す斜視図である。
【００１０】
図１１に示すように、引出扉２０１には、扉フレーム２０５が引出扉２０１に対して垂直突出状に取り付けられている。扉フレーム２０５は、引出扉２０１に取り付けられるとともに、移動レールと固定レールがスライド可能に係合したレール装置２０２に取り付けられている。これにより、引出扉２０１を垂直方向に起立させた状態のまま水平方向に引き出し押し戻すことができるようになっている。
【００１１】
また、扉フレーム２０５は、ビスなどを用いてレール装置２０２に固定されている。そして、引出扉２０１には、上方から差込可能な固定手段３０１が設けられており、容器２０６の前面フランジ部と引出扉２０１とが固定できるようになっている。
【先行技術文献】
【特許文献】
【００１２】
【特許文献１】特開２０１１−２０２８５３号公報
【発明の概要】
【発明が解決しようとする課題】
【００１３】
従来の引き出し式の貯蔵室が備える容器２０６は、扉フレーム２０５を介してレール装置２０２に載置しており、容器２０６の内容積の増加にともなって容器２０６に収納される収納物が増大すると、レール装置２０２への負荷も大きくなる。このため、引出扉２０１を開放する際に、レール装置２０２に大きな負荷がかかる。
【００１４】
そして、容器３０６の収納物によりレール装置２０２に下向きの負荷がかかった状態で、引出扉２０１の上部を持って、引出扉２０１とともに容器３０６を引き出すと、下方に位置する取付部を中心に、引出扉２０１を前方に倒す方向に回転させようとするモーメントが発生する。
【００１５】
このモーメントは、容器３０６と引出扉２０１との固定手段３０１に伝わり、引出扉２０１の上部を容器３０６から前方に引き離そうとする力とともに、容器３０６の前部を上方に浮上らせようとする力を発生させる。さらに、その反力として、容器３０６の後部をレール装置２０２に下向きに押し付ける力が発生する。
【００１６】
このため、従来の構成では、扉フレーム２０５をビスなどで移動レールに固定したり、引出扉２０１の固定手段３０１で容器２０６を固定したりしている。
【００１７】
しかしながら、これらの固定部が見えることにより、使用者に不安を抱かせるとともに、清潔性においても不信感を持たせることとなり、製品の品位を損なう恐れがある。
【００１８】
本発明は、上記従来の課題を解決するもので、引き出し式の貯蔵室を備える冷蔵庫であって、引出扉とレール装置との取付部が、引出扉の下方に位置する構成であっても、使い勝手の良さ、使用上の安全性、見た目の品位を失わない冷蔵庫を提供することを目的とする。
【課題を解決するための手段】
【００１９】
上記従来の課題を解決するために、本願発明の冷蔵庫は、内箱と外箱と前記内箱と前記外箱との間に充填した断熱材とよりなる断熱箱体と、前記断熱箱体の内方に形成され前面に開口部を備えた貯蔵室と、前記貯蔵室の内部に設けられ上面が開口する容器と、前記開口部を開閉自在に閉塞する引出扉と、前記引出扉とともに前記容器を前後に移動可能とする移動レールと、前記移動レールと前記引出扉を固定する扉支持部材とを備え、前記容器の前方に設けられた樹脂製の突起部と、前記引出扉の前記容器と対向する面に設けられた凹部とを備え、前記突起部と前記凹部とで、前記容器を前記引出扉に連結するものである。
【００２０】
これによれば、容器の前部を上方に浮上らせることを防止するとともに、金属部品を引出扉や容器に突出して設けることがないので、使い勝手の良さ、使用上の安全性、見た目の品位を失うことがない。
【発明の効果】
【００２１】
本発明の冷蔵庫は引き出し式の貯蔵室において広い実収納空間を確保しつつ、使い勝手の良さ、使用上の安全性、見た目の品位を向上させることができる。
【図面の簡単な説明】
【００２２】
【図１】本発明の実施の形態１における冷蔵庫の正面図
【図２】本発明の実施の形態１における冷蔵庫の断面図
【図３】本発明の実施の形態１における冷蔵庫のレール装置を示す斜視図
【図４】本発明の実施の形態１における冷蔵庫の引出扉と扉フレームの取付を示す斜視図
【図５】本発明の実施の形態１における冷蔵庫の扉フレームを示す斜視図
【図６】本発明の実施の形態１における冷蔵庫のレール装置と容器とを示す断面図
【図７】本発明の実施の形態１における冷蔵庫の容器の側面図
【図８】本発明の実施の形態１における冷蔵庫の容器の背面図
【図９】本発明の実施の形態１における冷蔵庫の引出扉、扉フレームと容器の配置関係を説明する側面図
【図１０】従来の冷蔵庫の断面図
【図１１】従来の冷蔵庫の引出扉の斜視図
【発明を実施するための形態】
【００２３】
第１の発明は、内箱と外箱と前記内箱と前記外箱との間に充填した断熱材とよりなる断熱箱体と、前記断熱箱体の内方に形成され前面に開口部を備えた貯蔵室と、前記貯蔵室の内部に設けられ上面が開口する容器と、前記開口部を開閉自在に閉塞する引出扉と、前記引出扉とともに前記容器を前後に移動可能とする移動レールと、前記移動レールと前記引出扉を固定する扉支持部材とを備え、前記容器の前方に設けられた樹脂製の突起部と、前記引出扉の前記容器と対向する面に設けられた凹部とを備え、前記突起部と前記凹部とで、前記容器を前記引出扉に連結するものである。
【００２４】
これによれば、容器の前部を上方に浮上らせることを防止するとともに、金属部品を引出扉や容器に突出して設けることがないので、使い勝手の良さ、使用上の安全性、見た目の品位を失うことがない。さらに、引出扉の内側板に沿って流れる冷却冷気の風路抵抗が増加することがなく、冷気を無駄なく循環させることができることから省エネ運転を実現できる。
【００２５】
第２の発明は、特に、第１の発明において、容器の上下方向中央部より下方にひれ部を備え、前記ひれ部で、前記移動レールと前記扉支持部材の固定部を覆うことにより、簡単な構成で、固定部を覆うことで、固定部で手や指が傷つくことを防止できるので、安全性が向上する。また、引出扉を開けたときに、固定部が見えにくくなるので外観意匠の向上が図れる。さらに、容器の側面の大部分が平面となるため、容器の側面を前方から後方へと流れる冷却冷気の風路抵抗を低減できる。
【００２６】
以下、本発明の実施の形態について、図面を参照しながら説明する。なお、この実施の形態によって本発明が限定されるものではない。
【００２７】
（実施の形態１）
図１は、本発明の実施の形態１における冷蔵庫の正面図である。
【００２８】
図１に示すように、本実施の形態にかかる冷蔵庫１００は、観音開き式の扉を上部に備える冷蔵庫１００であり、冷蔵庫１００の内方と外方とを断熱状態で隔てる断熱箱体１０１内に複数に区画された貯蔵室を備えている。
【００２９】
冷蔵庫１００の内の複数に区画された貯蔵室は、その機能（冷却温度）によって冷蔵室１０２、製氷室１０５、庫内の温度が変更できる切換室１０６、野菜室１０３、および冷凍室１０４等と区別して称されることがある。
【００３０】
冷蔵庫１００の最上部に位置する冷蔵室１０２の前面開口部には、例えばウレタンのような発泡断熱材を発泡充填した回転式の断熱扉１０７が設けられ、棚状の収納空間となっている。
【００３１】
また、冷蔵室１０２の下方に配置される製氷室１０５、切換室１０６、野菜室１０３、
および冷凍室１０４は引き出し式の収納空間となされている。
【００３２】
断熱箱体１０１は、金属製の外箱１１２と樹脂製の内箱１１０との間に例えば硬質発泡ウレタンなどの断熱材１１１を充填して形成される少なくとも一面が開口した直方体の箱体である。この断熱箱体１０１は、外方の雰囲気（大気）から断熱箱体１０１の内方に流入しようとする熱を遮断する機能を有している。
【００３３】
冷蔵室１０２は、冷蔵保存のために収容物が凍らない程度の低い温度に維持される貯蔵室である。具体的な温度の下限としては、通常１〜５℃で設定されている。
【００３４】
野菜室１０３は、断熱箱体１０１の最下部に配置され、主として野菜の冷蔵を目的とした貯蔵室である。また、野菜室１０３は、冷蔵室１０２と同等もしくは若干高い温度設定となされている。具体な温度の下限としては、２℃〜７℃である。なお、低温にするほど葉野菜の鮮度を長期間維持することが可能である。
【００３５】
冷凍室１０４は、冷凍温度帯に設定される貯蔵室である。具体的には、冷凍保存のために通常−２２〜−１８℃で設定されているが、冷凍保存状態の向上のために、たとえば−３０や−２５℃の低温で設定されることもある。
【００３６】
製氷室１０５は、内方に製氷機（図示せず）を設け製氷機で氷を作りその氷を保存する貯蔵室である。設定温度は冷凍室１０４とほぼ同等である。
【００３７】
切換室１０６は、冷蔵庫１００に取り付けたれた操作盤により、用途に応じ冷蔵温度帯から冷凍温度帯まで切り換えることができる。
【００３８】
図２は、本発明の実施の形態１における冷蔵庫の縦断面図であり、図１におけるＡ−Ａ線で断面を示している。
【００３９】
図２に示すように、異なる温度帯の貯蔵室を区画するために、各貯蔵室の間に仕切壁１０８が設置されている。冷蔵庫１００に備えられる貯蔵室のうち引き出し式の貯蔵室には、前面開口を閉塞する引出扉２０１と、引出扉２０１と断熱箱体１０１とを伸縮自在に接続するとともに貯蔵室の内部に備えた容器２０６を前後に移動可能とするレール装置２０２とが設けられている。
【００４０】
引出扉２０１は、貯蔵室の開口を開閉自在に閉塞することができる断熱性を備えた板状の部材であり、奥側周縁にパッキン２０７を備えている。パッキン２０７は、引出扉２０１が貯蔵室の開口を閉塞した状態で断熱箱体１０１等と密着し、冷気が漏れるのを防いでいる。また、引出扉２０１の正面上部には、貯蔵室を手前に引き出すときに手を掛ける手掛部２０１ａを備えている。
【００４１】
引出扉２０１には、本発明における扉支持部材である扉フレーム２０５が引出扉２０１に対して垂直突出状に取り付けられている。そして、扉フレーム２０５は、レール装置２０２に取り付けられている。さらに、扉フレーム２０５は容器２０６の底部両端を保持している。すなわち、容器２０６は、レール装置２０２に取り付けられた扉フレーム２０５を介して、レール装置２０２に取り付けられている。
【００４２】
図３は、本発明の実施の形態１における冷蔵庫のレール装置を示す斜視図である。
【００４３】
図３に示すように、レール装置２０２は、三段に重ねられた三つのレールを有し、第２レール（ミドルレール２２１）が第１レール（キャビネットレール２２２）に対して移動
可能であり、かつ、第３レール（トップレール２０３）が第２レール（ミドルレール２２１）に対して移動可能であることにより、全体として伸縮可能である。
【００４４】
キャビネットレール２２２は、内箱１１０の側面または底面に固定された「固定レール」であり、トップレール２０３とミドルレール２２１とが、固定レールに対し移動可能に設けられた「移動レール」である。
【００４５】
キャビネットレール２２２には、平板状のレール取付部２２３が取り付けられ、あるいは、一体に形成されている。
【００４６】
トップレール２０３の上面には、扉フレーム２０５と固定するための鉤形状部２３１と固定穴２３２とが設けられている。鉤形状部２３１は、トップレール２０３の長手方向における中央より後方に設けられている。鉤形状部２３１は、トップレール２０３の上面の一部を略コの字状に切り欠き、その切欠きを切り起して形成されており、トップレール２０３の上面に対して略垂直に立ち上がる垂直部２３１ａと垂直部２３１ａの先端に設けられトップレール２０３の上面に対して略水平に、前方に曲げられた水平部２３１ｂとから形成されている。水平部２３１ｂの長さは、垂直部２３１ａの高さより長くなるように構成されている。
【００４７】
固定穴２３２は、トップレール２０３の前端から固定穴２３２の強度の確保上必要な長さを確保し、かつ／または、扉フレーム２０５に設けられた丸穴と対応するように設けられたネジ穴である。
【００４８】
次に、引出扉２０１と扉フレーム２０５について説明する。図４は、本発明の実施の形態１における引出扉と扉フレームとを接続した状態を示す斜視図である。
【００４９】
図４に示すように、扉フレーム２０５は、引出扉２０１の上下方向中央部より下方、かつ左右方向両端部に接続されている。扉フレーム２０５は、引出扉２０１の背面のほぼ全面を覆う内側板２１１側に固定されている。内側板２１１は、引出扉２０１を構成する部材の一つであり、真空成形により形成される板状の部材である。
【００５０】
内側板２１１は主に樹脂によって成型されているため、内側板２１１に直接ビスで固定しても、扉フレーム２０５にかかる荷重に耐え得る強度が確保できない。そこで、扉フレーム２０５を確実に固定する手段として、扉フレーム２０５を、内側板２１１を介して、引出扉２０１内の断熱材に埋設した補強板（図示せず）にビス等により固定されている。
【００５１】
補強板は、内側板２１１の上下方向に延在し、主に鉄などの金属材料によって形成される。補強板は、左右の扉フレーム２０５に対応して、独立して２枚、設けられている。
【００５２】
また、内側板２１１には本発明における凹部としての内面凹部３０２が設けられている。内面凹部３０２は内側板２１１に左右に凹状に設けられている。内面凹部３０２の凹状部分は、金属製の部材で補強されていてもよい。さらに、内面凹部３０２の補強と、扉フレーム２０５の補強とは同一の補強板で補強されていてもよい。そして、内面凹部３０２に容器２０６の一部を差し込むことで、容器２０６を引出扉２０１に連結できる。
【００５３】
図５を用いて、扉フレーム２０５についてさらに詳しく説明する。図５は、本発明の実施の形態１における扉フレームの斜視図である。
【００５４】
扉フレーム２０５は、トップレール２０３の上面を覆う上面部２８２と、トップレール２０３の庫外側の側面を覆う側面部２８３とを備えている。上面部２８２、側面部２８３
の全長はトップレール２０３の全長より長いことが望ましい。
【００５５】
上面部２８２の庫内側の端部は略直角に切り起され、側面部２８３と略並行となる本体部２８４が形成されている。本体部２８４の前端部には、本体部２８４より上方に突出した拡大部２８１を備えている。拡大部２８１の前端には、端縁が引出扉２０１の内側板２１１に沿うように折り曲げられた折曲部２４１を備えている。折曲部２４１は、折曲部２４１の上端が引出扉２０１の高さ方向の中央より下方に位置するように引出扉２０１に取り付けられる。また、トップレール２０３の基端部より上方の引出扉２０１の部分に取り付けられる。
【００５６】
拡大部２８１を折曲部２４１と扉フレーム２０５との間に設けることで、扉フレーム２０５と引出扉２０１との固定部の大きさを高さ方向に大きくすることとなり、引出扉２０１に対して下部に取り付けられているレール装置２０２と引出扉２０１との取付部の強度不足を補うことができる。すなわち、引出扉２０１、特に引出扉２０１の上端部を持って引き出したり押し戻したりしたときに発生する応力が、扉フレーム２０５の前端部に集中するのを緩和することができる。
【００５７】
本体部２８４の上端には、上面部２８２に対して略水平となるように折り曲げて形成されたフランジ部２８５を備えている。フランジ部２８５の前方、および／または、後方には、フランジの一部を切り欠いたフランジ切欠部２８５ａが設けられている。このフランジ切欠部２８５ａに容器２０６の一部を差し込むことで、容器２０６を固定できる。
【００５８】
上面部２８２には、トップレール２０３と固定するための矩形穴２８６と丸穴２８７とが設けられている。矩形穴２８６は、扉フレーム２０５の長手方向における中央より後方に設けられている。特に、本体部２８４の長手方向における中央より後方に設けられていることが望ましい。矩形穴２８６は、トップレール２０３に設けられた鉤形状部２３１が嵌め込まれるのに十分な大きさを有している。
【００５９】
丸穴２８７は、上面部２８２の前端から丸穴２８７の強度の確保上必要な長さを確保し、かつ／または、トップレール２０３に設けられた固定穴２３２と対応するように設けられた穴である。
【００６０】
ここで、扉フレーム２０５とトップレール２０３との固定方法について説明する。まず、トップレール２０３に設けられた鉤形状部２３１を扉フレーム２０５の矩形穴２８６に引っ掛ける。すなわち、鉤形状部２３１の垂直部２３１ａを矩形穴２８６から、扉フレーム２０５の上面部２８２上方に貫通させ、扉フレーム２０５をトップレール２０３に対し相対的に前方にずらすことで、鉤形状部２３１の水平部２３１ｂを矩形穴２８６の前端部上面に移動させる。次に、扉フレーム２０５の上面部２８２上方から、扉フレーム２０５の丸穴２８７を介して、トップレール２０３に設けられた固定穴２３２に、ネジをねじ込む。
【００６１】
これにより、扉フレーム２０５とトップレール２０３とは、鉤形状部２３１と矩形穴２８６とで固定さる箇所と、矩形穴２８６と丸穴２８７とネジとで固定される箇所の２箇所により確実に固定される。少なくとも一方の箇所の固定方法を、鉤形状部２３１と矩形穴２８６とからなる引っ掛ける方式とすることで、扉フレーム２０５のトップレール２０３への取り付け、取り外しが容易になる。
【００６２】
なお、鉤形状部２３１、固定穴２３２が、トップレール２０３の側面に設けられており、矩形穴２８６、丸穴２８７が、側面部２８３や本体部２８４に設けられていてもよい。
【００６３】
図６は、本発明の実施の形態１における冷蔵庫のレール装置と容器とを示す断面図である。図６では、引き出し式の貯蔵室のうち最下部の貯蔵室である野菜室１０３を例に説明する。
【００６４】
まず、レール装置２０２について説明する。
【００６５】
キャビネットレール２２２の長手方向に垂直な断面形状は、左右対称ではなく、高さの高い方の側面が、内箱１１０の内側面に固定されている。
【００６６】
ミドルレール２２１は、断面がＩの字状であり、左右に突出したフランジを長手方向の上下に有する形状である。この上下のフランジのうちの下のフランジは、キャビネットレール２２２に長手方向に移動可能に保持されている。
【００６７】
トップレール２０３は、断面がコの字状の断面形状であり、ミドルレール２２１の上のフランジを長手方向に移動可能に保持している。
【００６８】
キャビネットレール２２２とトップレール２０３のそれぞれは、回転支持部材保持部１４６により複数の回転支持部材１４５を保持しており、この回転支持部材１４５によりミドルレール２２１を移動可能に保持している。なお、回転支持部材１４５としては、ベアリングを用いることができる。
【００６９】
より詳細に説明すると、ミドルレール２２１の上下のフランジのうち、下のフランジを中心とする部分をキャビネットレール２２２が複数の回転支持部材１４５を介して三方向から保持している。
【００７０】
また、ミドルレール２２１の上フランジを中心とする部分をトップレール２０３が複数の回転支持部材１４５を介して三方向から保持している。
【００７１】
キャビネットレール２２２、ミドルレール２２１およびトップレール２０３がこのように組み合わされていることにより、ミドルレール２２１は、キャビネットレール２２２上をその長手方向に移動可能である。さらに、トップレール２０３は、ミドルレール２２１上をその長手方向に移動可能である。つまり、トップレール２０３は、ミドルレール２２１を介してキャビネットレール２２２上をその長手方向に移動可能である。
【００７２】
また、ミドルレール２２１およびトップレール２０３は、複数の回転支持部材１４５が回転することによりスムーズに移動することができる。
【００７３】
トップレール２０３、ミドルレール２２１、キャビネットレール２２２、回転支持部材１４５は、予め組み込んだ状態で、内箱１１０に取り付けられる。
【００７４】
これにより、引出扉２０１の最大引き出し距離は、容器２０６が完全に開放する長さとなる。つまり、野菜室１０３を全開にしたときに、容器２０６の背面の端部が野菜室１０３直上の引出扉２０１の前面より前方に位置する。このため、容器２０６の奥への食品の収納、および、奥からの食品の取り出しが容易である。また、容器２０６が上部の引出扉２０１に干渉しないため、容器２０６の取付、取外しを容易に行うことができる。
【００７５】
次に、レール装置２０２の内箱１１０への取付について説明する。
【００７６】
図６に示すように、キャビネットレール２２２に一体に形成されたレール取付部２２３を内箱１１０の側部に面で当接するように配設し、内箱１１０の側部にビス４００によっ
て固定する。
【００７７】
このとき、取り付け面となる内箱１１０は主に樹脂によって成型されているため、内箱１１０に直接ビスを固定しても、レール装置２０２にかかる荷重に耐え得る強度が確保できない。そこで、レール装置２０２を確実に固定する手段として、レール取付部２２３を、内箱１１０を介して、断熱材１１１内に埋設したレール保持部材２８０に取り付ける。
【００７８】
レール保持部材２８０は主に鉄などの金属材料によって形成される。また、レール保持部材２８０を、あらかじめ内箱１１０内面の所定位置に固定し、その後、発泡断熱材を内箱１１０と外箱１１２との間に充填しに断熱材１１１内に埋没させることにより、レール保持部材２８０の保持力をより向上させることが可能となる。
【００７９】
レール保持部材２８０は、レール取付部２２３とビス４００で固定されるレール保持部２８０ａと、レール装置２０２の内倒れを防止する内倒れ防止手段２８０ｂとを備えている。レール保持部２８０ａは、略Ｌ字状の縦フランジ部と横フランジ部とで形成され、内箱１１０の側面部と底面部に密着している。内倒れ防止手段２８０ｂは、レール保持部２８０ａの底面部となる横フランジ部に一体形成され、また内箱１１０から離れる方向で、下方に向かう下フランジ部となって形成されている。
【００８０】
内倒れ防止手段２８０ｂが下方に向かう下フランジ部となって、断熱材１１１内に埋設されているので、レール取付部２２３に野菜室庫内側へ倒れ込む方向にモーメントが働いても下フランジ部の内倒れ防止手段２８０ｂが、その下部に充填された断熱材１１１によって阻止されるので、倒れこみを防止し、レール保持部材２８０の強度をさらに確保でき、野菜室１０３のレール装置２０２の庫内側方向への倒れを防止することができる。
【００８１】
また、野菜室１０３の底面壁４０１は、両側部に底面段差部４０１ａが形成され、底面段差部４０１ａは底面壁４０１の基準面となる中央部よりも一段高く、奥行き方向に向かって形成されている。
【００８２】
そして、底面段差部４０１ａ上にレール装置２０２が配設されている。またレール装置２０２が固定される内箱１１０の側壁面部には側面段差部１１０ａが形成されている。側面段差部１１０ａは野菜室１０３内の上部側壁面部よりも外箱１１２側へ凹んで形成され壁厚が薄くなっている。
【００８３】
レール取付部２２３は、側面段差部１１０ａを間に挟んで金属製のレール保持部材２８０とビス４００で側面固定される。
【００８４】
したがって、レール装置２０２を底面段差部４０１ａに載置して側面段差部１１０ａにビス止め固定するので、収納空間内に飛び出すレール装置２０２を抑制することができ、野菜室１０３内に容器２０６の全幅寸法を大きくでき、無効空間を低減することができる。
【００８５】
また、底面段差部４０１ａに載置してレール装置２０２を組立てるので作業性を向上できる。さらに、底面段差部４０１ａの部分は底面壁４０１の壁厚が大きくなるので、断熱性を確保できる。
【００８６】
また、最下段の野菜室１０３の引出扉２０１は上段の冷凍室１０４の引出扉２０１よりも下方にあり、利用者が引出扉２０１を引出した時に、位置的に最下段にある野菜室１０３の引出扉２０１に体重をかけやすい位置にあるので、収納量の負荷以外に外部の負荷量もかかる虞が高い。
【００８７】
しかし、レール保持部材２８０を略Ｌ字状のレール保持部２８０ａと下フランジ部となる内倒れ防止手段２８０ｂとを一体に形成したので、最下段の引出扉２０１のレール装置２０２の倒れ込み防止として、より強固に保つことができる。
【００８８】
冷凍室１０４、野菜室１０３ともに側面段差部１１０ａによって側面の壁厚が薄くなっているので、真空断熱材（図示しない）をレール装置２０２が配設される部分に対応させて、具体的には冷凍室１０４と野菜室１０３のレール装置２０２間よりも高さ寸法が大きい真空断熱材を外箱１１２に貼り付けることで断熱性を確保することもできる。
【００８９】
次に、容器２０６についてより説明する。容器２０６は、野菜やペットボトルに充填された飲料、冷凍食品などを収容するための容器であり、上面が開口した樹脂製の箱体である。容器２０６は、下部の両端部に内方に向く段部２６２が形成されるように幅が狭い狭幅部２６１を備えている。そして容器２０６は、狭幅部２６１が２本のレール装置２０２の間に配置され、段部２６２が扉フレーム２０５の上面に載置されることで、扉フレーム２０５を介してレール装置２０２に支持される。
【００９０】
このように、レール装置２０２が引出扉２０１の下部の両角に設けられているため、容器２０６の内、幅を狭くしなければならない狭幅部２６１をできる限り短く抑えることが可能となる。従って、容器２０６は、収納容積ができる限り広くなるような形状を採用することが可能となる。
【００９１】
また、容器２０６の側面には、容器２０６の上下方向中央部より下方に、前後方向（奥行き方向）に細長い板状の側面ひれ部２６６が設けられている。側面ひれ部２６６は、容器２０６の側面の平面を下方延長するように段部２６２の両端から下方に突出している。そして、側面ひれ部２６６は、扉フレーム２０５の上面部２８２から突出した鉤形状部２３１の水平部２３１ｂの側面を覆っている。これにより、簡単な構成で、矩形穴２８６や鉤形状部２３１、ネジを覆うことができ、これらで手や指が傷つくことを防止でき、安全性が向上する。また、矩形穴２８６や鉤形状部２３１、ネジが見えにくくなるので外観意匠の向上が図れる。
【００９２】
図７、図８を用いて、容器２０６をさらに詳しく説明する。図７、図８は、本発明の実施の形態１における冷蔵庫の容器の側面図、背面図である。
【００９３】
図７、図８に示すように、容器２０６は開口部の周囲には外側に凸となるフランジ部を備えている。すなわち、前面の上端部には前面フランジ部２０６ａ、両側面の上端部には側面フランジ部２０６ｂ、背面の上端部には背面フランジ部２０６ｃがそれぞれ連続するように設けられている。フランジ部は前面、側面、背面のそれぞれの側壁を折り返すように形成されており、その内部は中空であることが軽量化の面で望ましい。このフランジ部を設けることにより、容器２０６の開口部の強度を増すことができる。
【００９４】
容器２０６の前方に位置する前面フランジ部２０６ａには、容器２０６より前方に突出した前方突起部２０６ｅが、内面凹部３０２に対応する位置に設けられている。
【００９５】
また、容器２０６の背面の壁面高さは、前面または両側面の壁面高さより低くなるように構成されている。換言すると、背面フランジ部２０６ｃは、前面フランジ部２０６ａおよび／または側面フランジ部２０６ｂより低い位置に設けられている。
【００９６】
容器２０６の両側面の下部に備えられた段部２６２には、容器２０６と一体成形され、下方に凸となる下方突起部２０６ｄが前方、および／または、後方に設けられている。こ
れにより、引っ張り力の支点となる位置を引出扉２０１よりも後方とすることで、取付部にかかるモーメントが小さくなるため、トップレール２０３の取付部またはレール固定部の取付部を破損から保護することが可能となる。
【００９７】
また、下方突起部２０６ｄは側面ひれ部２６６により覆われている。
【００９８】
容器２０６の扉フレーム２０５への取付について、図９を用いて説明する。図９は、本発明の実施の形態１における冷蔵庫の引出扉、扉フレームと容器の配置関係を説明する側面図である。
【００９９】
図９に示すように、容器２０６の前方に設けられた前方突起部２０６ｅを、内側板２１１に設けられた内面凹部３０２に差し込むことで、容器２０６は、引出扉２０１に連結できる。
【０１００】
前方突起部２０６ｅは、前面フランジ部２０６ａに対して略垂直に立ち上がる垂直部と、垂直部から前面フランジ部２０６ａに対して略水平となるように上方に曲げられた水平部とから形成されており、また、内面凹部３０２は、内側板２１１に対して略垂直に窪む垂直部と、垂直部から内側板２１１に対して略水平となるように上方に曲げられた水平部とから形成されていることが、容器２０６の引出扉２０１への連結をより確実する上で望ましい。
【０１０１】
また、内面凹部３０２は、前方突起部２０６ｅが挿入できる十分な大きさを有しおり、内面凹部３０２の上端には、前方突起部２０６ｅの垂直部と前面フランジ部２０６ａとの間に挿入される上端挿入部３０３が設けられていることが、容器２０６の引出扉２０１への連結をより確実する上で望ましい。  また、容器２０６の下方突起部２０６ｄは、扉フレーム２０５に形成された切欠き形状の固定孔部（図示せず）に挿入される。これにより、容器２０６は、扉フレーム２０５に固定できる。
【０１０２】
次に、容器２０６の取り付け方法について説明する。まず、容器２０６の後方を少し持ち上げ、前方突起部２０６ｅの垂直部を、上端挿入部３０３を避けて内面凹部３０２内に差し込む。その後、容器２０６を水平にする。これにより、上端挿入部３０３は、前方突起部２０６ｅの垂直部と前面フランジ部２０６ａとの間に挿入され、下方突起部２０６ｄは、扉フレーム２０５の固定孔部に挿入される。
【０１０３】
以上のように本実施の形態では、容器２０６と引出扉２０１を固定することで、引出扉２０１を前方に倒す方向に回転させようとするモーメントによる力を小さくできるために、扉フレーム２０５やレール装置２０２が変形するのを防止できる。また、引出扉２０１を前方に倒す方向に回転させようとするモーメントにより発生する容器２０６の前部を上方に浮上らせようとする力を、前方突起部２０６ｅを介して引出扉２０１に設けた内面凹部３０２の上面が受け止めることで、容器２０６が上方に浮上ることを防止できる。
【０１０４】
さらに、前方突起部２０６ｅは凸部ではあるが容器２０６と同様に樹脂製であり、また、内面凹部３０２は凹部であるので、金属部品を引出扉２０１や容器２０６に突出して設けることがないので、使用上の安全性、見た目の品位を失うことがない。また、金属部品が野菜室１０３に現れることがないので、金属部品が結露することがない。
【０１０５】
さらに、前方突起部２０６ｅは、容器２０６の左右に設けられており、また、引出扉２０１の内側板２１１には凹部が左右に設けられているのみであるので、内側板２１１に沿って流れる冷却冷気の風路抵抗が増加することがなく、冷気を無駄なく循環させることができることから省エネ運転を実現できる。
【０１０６】
また、側面ひれ部２６６で、トップレール２０３と扉フレーム２０５の固定部を覆うことにより、簡単な構成で、固定部で手や指が傷つくことを防止できるので、安全性が向上する。また、引出扉２０１を開けたときに、固定部が見えにくくなるので外観意匠の向上が図れる。
【０１０７】
さらに、側面ひれ部２６６を容器２０６の上下方向中央部より下方に設けたことで、容器２０６の側面の大部分は、凹凸が形成されていない平坦な形状となる。これにより、容器２０６の側面に沿って前方から後方へと流れる冷却冷気の風路抵抗を低減できる。この結果、冷却ファン（図示せず）の入力を低減でき、冷蔵庫の省エネルギー化が図れる。また、側面がフラットな形状となるため意匠性が向上する。
【０１０８】
さらに、引出扉２０１とともに容器２０６を引き出した際に、容器２０６内の冷気の容器２０６外、つまり、野菜室１０３外への流出を低減でき、冷蔵庫の省エネルギー化が図れる。
【０１０９】
さらに、容器２０６は扉フレーム２０５によって底部で保持されているため、レール装置２０２が容器２０６の側方の空間を上下に分断することがなく、上下の温度差や対流溜まりによる結露や着霜が発生することがない。
【０１１０】
なお、本実施の形態では、野菜室１０３に収納される容器として説明したが、冷凍室１０４に収納される容器であっても、同様の効果が得られる。
【産業上の利用可能性】
【０１１１】
以上のように、本願発明にかかる冷蔵庫は、広い実収納空間を確保することができるので、引き出し式の貯蔵室を備える冷蔵庫に利用可能であり、さらに、引き出しを備えたユニットキッチンなど高品位・意匠デザイン性が求められる分野にも展開が可能である。
【符号の説明】
【０１１２】
１００  冷蔵庫
１０１  断熱箱体
１０２  冷蔵室
１０３  野菜室（貯蔵室）
１０４  冷凍室（貯蔵室）
１０５  製氷室
１０６  切換室
１０７  断熱扉
１０８  仕切壁
１１０  内箱
１１０ａ  側面段差部
１１１  断熱材
１１２  外箱
１４５  回転支持部材
１４６  回転支持部材保持部
２０１  引出扉
２０１ａ  手掛部
２０２  レール装置
２０３  トップレール（移動レール）
２０５  扉フレーム
２０６、３０６  容器
２０６ａ  前面フランジ部
２０６ｂ  側面フランジ部
２０６ｃ  背面フランジ部
２０６ｄ  下方突起部
２０６ｅ  前方突起部
２０７  パッキン
２１１  内側板
２２１  ミドルレール（移動レール）
２２２  キャビネットレール（固定レール）
２２３  レール取付部
２４１  折曲部
２６１  狭幅部
２６２  段部
２６６  側面ひれ部
２８０  レール保持部材
２８０ａ  レール保持部
２８０ｂ  内倒れ防止手段
２８１  拡大部
２８３  側面部
２８４  本体部
２８５  フランジ部
２８５ａ  フランジ切欠部
２８６  矩形穴
２８７  丸穴
３０１  固定手段
３０２  内面凹部
３０３  上端挿入部
４０１  底面壁
４０１ａ  底面段差部
【図１】
2013204828.tif 000003
【図２】
2013204828.tif 000004
【図３】
2013204828.tif 000005
【図４】
2013204828.tif 000006
【図５】
2013204828.tif 000007
【図６】
2013204828.tif 000008
【図７】
2013204828.tif 000009
【図８】
2013204828.tif 000010
【図９】
2013204828.tif 000011
【図１０】
2013204828.tif 000012
【図１１】
2013204828.tif 000013